(57)【要約】      （修正有）【課題】少人数でも組み立て及び分解が容易に行え、持ち運びに便利なマルチディスプレイ装置を提供する。【解決手段】ディスプレイ装置１１と、該ディスプレイ装置１１を支持する支持枠体１２とを備えたディスプレイユニット１０と、前記ディスプレイユニット１０を載置する載置台１３と、前記載置台１３と１つのディスプレイユニット１０とを連結固定し、又は２つのディスプレイユニット１０を相互に連結固定する連結部材とを備え、２以上のディスプレイユニット１０を前記載置台１３に順に積み上げて、マルチディスプレイ装置１を構成する。【選択図】図１
0003160260.tif 000002
【実用新案登録請求の範囲】
【請求項１】
ディスプレイ装置と、該ディスプレイ装置を支持する支持枠体とを備えたディスプレイユニットと、
前記ディスプレイユニットを載置する載置台と、
前記載置台と１つのディスプレイユニットとを連結固定し、又は２つのディスプレイユニットを相互に連結固定する連結部材と、を備え
２以上のディスプレイユニットが前記載置台に順に積み上げられたマルチディスプレイ装置。
【請求項２】
前記支持枠体及び前記載置台が、それぞれ高さ方向に貫通する貫通孔を備え、
前記連結部材が前記貫通孔に挿入され取付けられることを特徴とする請求項１に記載のマルチディスプレイ装置。
【請求項３】
前記支持枠体及び前記載置台が、それぞれ高さ方向に開口部を備えることを特徴とする請求項１又は２に記載のマルチディスプレイ装置。
【請求項４】
前記載置台が、移動手段を備えることを特徴とする、請求項１から請求項３のいずれか一つに記載のマルチディスプレイ装置。
【考案の詳細な説明】
【技術分野】
【０００１】
本考案は、マルチディスプレイ装置に関するものである。
【背景技術】
【０００２】
図１０（ａ）は、特開２００９−２４４５７７号公報に記載された従来の情報表示装置である。この情報表示装置は、縦長の筺体９１に取り付けた旗蝶番取付金具９４に、４枚の情報表示画面取付金具９２が配置され、情報表示画面取付金具９２にそれぞれ情報表示画面９３を取り付けて構成されている。
【０００３】
図１０（ｂ）は同公報に記載された他の情報表示装置である。この情報表示装置は、取付部材９６を介して情報表示画面９３を支柱９５に取り付けて構成されている。
【０００４】
これらの情報表示装置は、筺体９１あるいは支柱９５をそのままの大きさで持ち運び、設置し、情報表示画面９３を取り付ける必要がある等、取り扱いが困難であり、人手を要する。
【先行技術文献】
【特許文献】
【０００５】
【特許文献１】特開２００９−２４４５７７号公報
【考案の概要】
【考案が解決しようとする課題】
【０００６】
この考案は、上記課題に着目し、少人数であっても組み立て及び分解を容易に行え、持ち運びに便利なマルチディスプレイ装置を提供することを目的とする。
【課題を解決するための手段】
【０００７】
上記課題を解決する為に、本考案のマルチディスプレイ装置は、ディスプレイ装置と、該ディスプレイ装置を支持する支持枠体とを備えたディスプレイユニットと、前記ディスプレイユニットを載置する載置台と、前記載置台と１つのディスプレイユニットとを連結固定し、又は２つのディスプレイユニットを相互に連結固定する連結部材とを備え、２以上のディスプレイユニットが前記載置台に順に積み上げられたものである。
【０００８】
さらに、本考案のマルチディスプレイ装置は、前記支持枠体及び前記載置台が、それぞれ高さ方向に貫通する貫通孔を備え、前記連結部材が前記貫通孔に挿入され取付けられることを特徴とするものである。
【０００９】
さらに、本考案のマルチディスプレイ装置は、前記支持枠体及び前記載置台が、それぞれ高さ方向に開口部を備えることを特徴とするものである。
【００１０】
さらに、本考案のマルチディスプレイ装置は、前記載置台が、移動手段を備えることを特徴とするものである。
【考案の効果】
【００１１】
本考案のマルチディスプレイ装置は、予めディスプレイ装置を備えたディスプレイユニットを載置台上に積み上げること、連結部材によって連結固定することにのみによって組み立て可能であるので、容易にマルチディスクプレイ装置を組み立て、及び分解することができる。
【００１２】
また、分解後はディスプレイユニット単位で持ち運び、保管、管理し得るため、取り扱いが容易である。
【００１３】
また、本考案のマルチディスプレイ装置は、連結部材をそれぞれのディスプレイユニット及び載置台の有する貫通孔に挿入することで、連結部材を隠すことができる。よって、連結部材が外観に影響を及ぼすことなく、かつ複数のディスプレイユニット及び載置台を強固に連結固定することができる。
【００１４】
また、本考案のマルチディスプレイ装置は、支持枠体及び載置台が、それぞれ高さ方向に開口部を備えるので、この開口部を通じて積み重ねられたディスプレイユニット間の配線を行い得るので、装置全体として一つの映像を表示させることができ、また外観に影響を及ぼさずに配線を行える。
【００１５】
また、本考案のマルチディスプレイ装置は、移動手段を有するので組み立てた状態で容易に、任意の位置への移動が行える。
【図面の簡単な説明】
【００１６】
【図１】本考案の実施例１に係るマルチディスプレイ装置を示した斜視図である。
【図２】本考案のディスプレイユニットを示した斜視図である。
【図３】本考案のディスプレイユニットを示した図であり、（ａ）は正面図、（ｂ）は背面図、（ｃ）は右側面図、（ｄ）は平面図である。
【図４】本考案の載置台を示した図であり、（ａ）は正面図、（ｂ）は背面図、（ｃ）は右側面図、（ｄ）は平面図である。
【図５】本考案の連結部材を示した図であり、（ａ）は斜視図、（ｂ）は背面図である。
【図６】鉛直方向に連結固定されるディスプレイユニットの組み立て図である。
【図７】本考案の実施例２に係るマルチディスプレイ装置を示した斜視図である。
【図８】水平方向に連結固定されるマルチディスプレイ装置の連結部の拡大組み立て図である。
【図９】本考案の実施例３に係るマルチディスプレイ装置を示した斜視図である。
【図１０】従来における情報表示装置を示した図であり、（ａ）は一の情報表示装置の正面図、（ｂ）は他の情報表示装置の側面図である。
【考案を実施するための形態】
【００１７】
以下、図面に基づいて、本考案のマルチディスプレイ装置を説明する。
【実施例１】
【００１８】
図１に示すように、マルチディスプレイ装置１は、ディスプレイ装置１１とディスプレイ装置１１を支持する支持枠体１２を備えるディスプレイユニット１０と、ディスプレイユニット１０を載置する載置台１３と、載置台１３及び載置台１３に積み上げられたディスプレイユニット１０を連結固定する連結部材４１（図５及び図６参照）と、載置台１３に設けられた移動手段１４を備えている。
【００１９】
ディスプレイ装置１１は液晶テレビであり、その表示画面サイズは限定されないが、例えば４６インチである。本考案のマルチディスプレイ装置１は複数のディスプレイ装置１１の表示画面上に一つの映像を映し出すものであり、ディスプレイ装置１１間の映像の途切れを軽減するために、図３（ａ）に示されたディスプレイ装置１１の外枠の幅１１ａ及び幅１１ｂが等しく、狭いものが好ましい。
【００２０】
支持枠体１２はディスプレイ装置１１を支持するものである。図２及び図３に示すように、支持枠体１２は金属製の箱形状であり、上面及び下面に貫通孔２１及び開口部２２がそれぞれ互いに相対向するように形成され、右側面及び左側面に開口部２３が相対向するように形成され、前面にはディスプレイ装置１１の取付部２６、背面には扉２４が設けられている。
【００２１】
ディスプレイユニット１０はディスプレイ装置１１と支持枠体１２とを備えている。図２に示すように、ディスプレイ装置１１は不図示の螺子によって支持枠体１２の取付部２６に固定される。また図３に示すように、支持枠体１２の外周寸法１２ｈ、１２ｗはディスプレイ装置１１の外枠寸法１１ｈ、１１ｗと等しく、ディスプレイユニット１０は、その上面、下面及び両側面に段差が生じないように、ディスプレイ装置１１と支持枠体１２が固定されている。また、積み上げられたディスプレイユニット１０が安定して自立するために十分な奥行寸法１２ｄを支持枠体１２は有している。
【００２２】
載置台１３はディスプレイユニット１０を載置するものである。図４に示すように、載置台１３は金属製であり箱形状の載置部３７と板状の基台部３６から構成される。載置部３７は基台部３６の中央から垂直に設けられており、その右側面部及び左側面部に開口部３３が相対向するように形成され、上面に貫通孔３１及び開口部３２、背面に扉３４を有している。貫通孔３１及び開口部３２は、支持枠体１２の貫通孔２１及び開口部２２に対応する位置に形成されている。載置部３７はその内部にディスプレイ装置１１を制御するためのコンピュータ等の制御装置を備えている。
【００２３】
載置台１３はマルチディスプレイ装置１が移動可能となるように基台部３６に移動手段１４を備えている。移動手段１４は、車輪回転止め機構を備えた車輪であり、例えばキャスター等が用いられる。
【００２４】
連結部材４１は複数のディスプレイユニット１０及び載置台１３を連結固定するものである。図５に示すように、連結部材４１は棒状の金属体であり、その長手方向の長さはディスプレイユニット１０の高さよりも短いものである。また連結部材４１は長手方向に沿って螺子孔４２を有している。
【００２５】
図６はディスプレイユニット１０の連結方法を示すものである。（１）連結部材４１は、その長手方向をディスプレイユニット１０の高さ方向とし、一のディスプレイユニット１０の上面の貫通孔５１に挿入され、ディスプレイユニット１０に取付けられる。（２）一のディスプレイユニット１０から突出した連結部材４１が、他のディスプレイユニット１０の下面の貫通孔５２に挿入されるように、他のディスプレイユニット１０を積み重ねる。（３）連結部材４１を他のディスプレイユニット１０に取付ける、という順で行われ、ディスプレイユニット１０が互いに連結固定される。また、ディスプレイユニット１０と載置台１３との連結方法も同様に行われ、全体として一体化されたマルチディスプレイ装置１が組み立てられる。
【００２６】
この実施例１によるマルチディスプレイ装置１は、積み上げられた複数のディスプレイユニット１０間の接触面積が大きいため、ディスプレイユニット１０は互いを安定して支持、及び自立するものである。よって、ディスプレイユニット１０を鉛直方向に積み上げること、及び連結部材４１によって連結固定することによって組み立て可能である簡単な連結構造であるため、少人数であっても組み立て及び分解が容易に行える。
【００２７】
また、本実施例１によるマルチディスプレイ装置１は、連結部材４１をそれぞれのディスプレイユニット１０の有する貫通孔２１及び載置台１３の有する貫通孔３１に挿入することで、連結部材４１を隠すことができる。よって、連結部材４１が外観に影響を及ぼすことなく、かつ複数のディスプレイユニット１０及び載置台１３を強固に連結固定することができる。
【００２８】
さらに、連結部材４１はその長さがディスプレイユニット１０の高さよりも短く、分解されたディスプレイユニット１０はユニット単位で持ち運び、保管、管理し得るため、取り扱いが容易である。
【００２９】
また、載置台１３に移動手段１４が取付けられているため、マルチディスプレイ装置１は組み立てられた状態で、容易に、任意の位置へ移動できる。
【００３０】
また、支持枠体１２及び載置台１３に設けた開口部２２、３２が互いに対応する位置に設けられているので、連結固定されたディスプレイユニット１０間の配線は当該開口部２２、３２を通じて可能であり、相互に通信が可能である。従って、全体として一つの映像を表示することができる。また、外観に影響を及ぼすことなく配線が行える。支持枠体１２及び載置台１３は背面に扉２４、３４を備えているため、配線及び制御装置のメンテナンスを容易に行える。
【実施例２】
【００３１】
図７は３組のマルチディスプレイ装置１が並設されたマルチディスプレイ装置５０を示した図である。マルチディスプレイ装置５０は連結部材４３を備えている。
【００３２】
連結部材４３は並設されたマルチディスプレイ装置１を連結固定するものである。図８に示すように、連結部材４３はコの字形状に形成された金属体であり、不図示の螺子孔を有している。コの字下向きとした連結部材４３が一のディスプレイユニット１０の貫通孔７１と他のディスプレイユニット１０の貫通孔７２に挿入され、取付けられることによって、これらのディスプレイユニット１０は相互に連結固定され、複数のマルチディスプレイ装置１を一体化することができる。
【００３３】
この実施例２によるマルチディスプレイ装置５０は、支持枠体１２の両側面の開口部２３及び載置台１３の両側面の開口部３３を通じて配線可能であるため、マルチディスプレイ装置１間で相互に通信が可能となる。これにより、９台（縦３台×横３台）のディスプレイ装置１１からなる大型画面上に全体として一つの映像を表示することができる。また、外観に影響を及ぼすことなく配線を行う事ができる。
【００３４】
また、コの字形状の連結部材４３を用いることによって、並設されたマルチディスプレイ装置１を強固に連結固定し、安定して設置することができる。
【実施例３】
【００３５】
図９は伸縮自在の支持部材８０を用いたマルチディスプレイ装置１である。支持部材８０は天井と接する円盤部８１と、円盤部８１の中心から垂直に延出する軸部８２と、軸の長短を調整可能とする回転筒部８３と、支持枠体１２の貫通孔２１へと挿入し取付可能な挿入部８４とから構成されている。マルチディスプレイ装置１の最上段の支持枠体１２の貫通孔２１に当該支持部材８０を取り付け、円盤部８１を天井へ押し付けるように、回転筒部８３により、軸の長短を調整することによって、マルチディスプレイ装置１は支持され、転倒を防止することができる。
【実施例４】
【００３６】
マルチディスプレイ装置１が有するディスプレイ装置１１はタッチパネル等のユーザインターフェースを備えるものでもよい。ユーザーと情報のやり取りが可能となり、ＫＩＯＳＫ端末やアミューズメント機器として使用可能である。
【００３７】
以上、本考案のマルチディスプレイ装置１の態様について説明したが、本考案はその趣旨を逸脱しない範囲で、当業者の知識に基き種々の改良、修正、変形を加えた態様で実施し得るものであり、これらの態様はいずれも本考案の範囲に属するものである。
【００３８】
例えば、ディスプレイ装置１１は、液晶テレビに限られることなく、プラズマテレビ、又はプロジェクションテレビ等であってもよい。また、表示画面の大きさは４６インチに限られることなく、支持枠体１２の取付部１５と適合し、取り付け可能であれば、その他の大きさのものであってもよい。
【００３９】
また、載置台１３の載置部３７は箱形状に限られることなく、円柱形状、その他の多角柱形状であってもよい。
【００４０】
また、移動手段１４は車輪に限られることなく、例えばキャタピラ等、任意に選択可能である。
【符号の説明】
【００４１】
１    マルチディスプレイ装置
１０  ディスプレイユニット
１１  ディスプレイ装置
１１ａ，ｂ  ディスプレイ装置外枠幅
１２  支持枠体
１３  載置台
１４  移動手段
２１、３１  貫通孔
２２、３２  上面開口部
２３、３３  側面開口部
２４、３４  扉
２５、２７、３５、４２  螺子貫通孔
２６  取付部
４１、４３  連結部材
８０  支持部材
８１  円盤部
８２  軸部
８３  回転筒部
８４  挿入部
【図１】
0003160260.tif 000003
【図２】
0003160260.tif 000004
【図３】
0003160260.tif 000005
【図４】
0003160260.tif 000006
【図５】
0003160260.tif 000007
【図６】
0003160260.tif 000008
【図７】
0003160260.tif 000009
【図８】
0003160260.tif 000010
【図９】
0003160260.tif 000011
【図１０】
0003160260.tif 000012